(57)【要約】【課題】最適な受信チャンネルの初期設定を自動的に行うことができる受信チャンネル設定装置を提供する。【解決手段】本発明の受信チャンネル設定装置は、予め地域ごとに定められた地域コードに対応する放送局コードを記憶する記憶手段と、使用者が地域コードを入力するための操作手段とを備える。また、操作手段によって入力された地域コードに対応する放送局コードを記憶手段から読み出し、当該読み出した放送局コードのチャンネルを正常に受信できるか否かを判定する判定手段を備える。また、判定手段によって、読み出した放送局コードのチャンネルを正常に受信できると判定された場合に、当該放送局コードのチャンネルを受信チャンネルとして設定する設定手段を備える。そして、判定手段は、読み出した放送局コードのチャンネルを正常に受信できないと判定した場合に、他の地域コードに対応する放送局コードを記憶手段から読み出し、当該読み出した放送局コードのチャンネルを正常に受信できるか否かを再判定する。判定手段はＣＰＵ１１０がその機能を果たす。【選択図】図１
2008135837.tif 000002
【特許請求の範囲】
【請求項１】
受信するテレビ放送のチャンネルを設定する受信チャンネル設定装置において、
予め地域ごとに定められた地域コードに対応する放送局コードを記憶する記憶手段と、  使用者が地域コードを入力するための操作手段と、
前記操作手段によって入力された地域コードに対応する放送局コードを前記記憶手段から読み出し、当該読み出した放送局コードのチャンネルを正常に受信できるか否かを判定する判定手段と、
前記判定手段によって、読み出した放送局コードのチャンネルを正常に受信できると判定された場合に、当該放送局コードのチャンネルを受信チャンネルとして設定する設定手段とを備え、
前記判定手段は、前記読み出した放送局コードのチャンネルを正常に受信できないと判定した場合に、他の地域コードに対応する放送局コードを前記記憶手段から読み出し、当該読み出した放送局コードのチャンネルを正常に受信できるか否かを再判定することを特徴とする受信チャンネル設定装置。
【請求項２】
前記記憶手段は、地域コードごとにその地域に隣接する地域の地域コードを少なくとも１つ記された隣接地域コードリストを予め記憶し、
前記判定手段は、前記再判定の動作を行う際、前記記憶手段に記憶された前記隣接地域コードリストに基づいて、前記他の地域コードを決定することを特徴とする請求項１に記載の受信チャンネル設定装置。
【請求項３】
前記判定手段は、予め定められた回数を上限として、前記再判定の動作を繰り返すことを特徴とする請求項１に記載の受信チャンネル設定装置。
【請求項４】
前記予め地域ごとに定められた地域コードは、隣接する地域間で連続した値を有しており、
前記判定手段は、前記再判定の動作を行う際、前記入力された地域コードよりも１つ小さな値を有する地域コード、又は前記入力された地域コードよりも１つ大きな値を有する地域コードを前記他の地域コードとする特徴とする請求項１に記載の受信チャンネル設定装置。
【請求項５】
前記判定手段は、前記地域コードに対応する複数の放送局コードのチャンネルを全て正常に受信できるか否かを判定することを特徴とする請求項１に記載の受信チャンネル設定装置。
【請求項６】
前記判定手段は、さらに、前記地域コードに対応しない放送局コードのチャンネルが正常に受信できるか否か判定し、
前記設定手段は、前記判定手段によって、前記入力された地域コードに対応する放送局コードのチャンネルを正常に受信できると判定され、かつ、前記入力された地域コードに対応しない放送局コードのチャンネルが正常に受信できないと判定された場合に、当該放送局コードのチャンネルを受信チャンネルとして設定することを特徴とする請求項１に記載の受信チャンネル設定装置。
【請求項７】
受信するテレビ放送のチャンネルを設定する受信チャンネル設定装置において、
受信した信号の各チャンネルのうちスクランブル処理が施されたチャンネルに対して、
前記スクランブル処理の解除が許可されているか否かを判定する判定手段と、
前記スクランブル処理の解除が許可されていると判定されたチャンネルを受信チャンネルとして設定し、前記スクランブル処理の解除が許可されていないと判定されたチャンネルは受信チャンネルとして設定しない設定手段とを備えることを特徴とする受信チャンネル設定装置。
【請求項８】
前記判定手段は、受信したデジタル放送信号に含まれる限定受信テーブルを参照して、前記スクランブル処理の解除が許可されているか否かを判定することを特徴とする請求項７に記載の受信チャンネル設定装置。
【請求項９】
受信するテレビ放送のチャンネルを設定する受信チャンネル設定方法において、
予め地域ごとに定められた地域コードに対応する放送局コードを記憶部に記憶する記憶ステップと、
使用者によって入力された地域コードに対応する放送局コードを前記記憶部から読み出し、当該読み出した放送局コードのチャンネルを正常に受信できるか否かを判定する判定ステップと、
前記判定ステップによって、読み出した放送局コードのチャンネルを正常に受信できると判定された場合に、当該放送局コードのチャンネルを受信チャンネルとして設定する設定ステップとを備え、
前記判定ステップにおいて、前記読み出した放送局コードのチャンネルを正常に受信できないと判定した場合に、他の地域コードに対応する放送局コードを前記記憶部から読み出し、当該読み出した放送局コードのチャンネルを正常に受信できるか否かを再判定することを特徴とする受信チャンネル設定方法。
【請求項１０】
受信するテレビ放送のチャンネルを設定する受信チャンネル設定方法において、
受信した信号の各チャンネルのうちスクランブル処理が施されたチャンネルに対して、
前記スクランブル処理の解除が許可されているか否かを判定する判定ステップと、
前記スクランブル処理の解除が許可されていると判定されたチャンネルを受信チャンネルとして設定し、前記スクランブル処理の解除が許可されていないと判定されたチャンネルは受信チャンネルとして設定しない設定ステップとを備えることを特徴とする受信チャンネル設定方法。
【請求項１１】
受信するテレビ放送のチャンネルを設定する受信チャンネル設定プログラムにおいて、
予め地域ごとに定められた地域コードに対応する放送局コードを記憶する記憶モジュールと、
使用者によって入力された地域コードに対応する放送局コードを前記記憶モジュールから読み出し、当該読み出した放送局コードのチャンネルを正常に受信できるか否かを判定する判定モジュールと、
前記判定モジュールによって、読み出した放送局コードのチャンネルを正常に受信できると判定された場合に、当該放送局コードのチャンネルを受信チャンネルとして設定する設定モジュールとコンピュータに実行させ、
前記判定モジュールにおいて、前記読み出した放送局コードのチャンネルを正常に受信できないと判定した場合に、他の地域コードに対応する放送局コードを前記記憶モジュールから読み出し、当該読み出した放送局コードのチャンネルを正常に受信できるか否かを再判定することを特徴とする受信チャンネル設定プログラム。
【請求項１２】
受信するテレビ放送のチャンネルを設定する受信チャンネル設定プログラムにおいて、
受信した信号の各チャンネルのうちスクランブル処理が施されたチャンネルに対して、  前記スクランブル処理の解除が許可されているか否かを判定する判定モジュールと、
前記スクランブル処理の解除が許可されていると判定されたチャンネルを受信チャンネルとして設定し、前記スクランブル処理の解除が許可されていないと判定されたチャンネルは受信チャンネルとして設定しない設定モジュールとをコンピュータに実行させることを特徴とする受信チャンネルプログラム。
【請求項１３】
請求項１１記載の受信チャンネル設定プログラムを格納するコンピュータ読み取り可能な記憶媒体。
【請求項１４】
請求項１２記載の受信チャンネル設定プログラムを格納するコンピュータ読み取り可能な記憶媒体。
【発明の詳細な説明】
【技術分野】
【０００１】
本発明は、受信チャンネル設定装置及び方法、並びにプログラム及び記憶媒体に関する。
【背景技術】
【０００２】
ＴＶ放送（テレビ放送）は、その放送チャンネルが地域ごとに異なる。そのため、ＴＶ放送を受信する受像機やこれを録画する録画機器等を購入した際、ユーザーは居住する環境に合わせて、受信チャンネルを記憶する設定を行う（以降チャンネル設定と称す）。そして受像機／録画機器に対してチャンネルＵＰ／ＤＯＷＮ操作がなされた時、このチャンネル設定されたチャンネルが順番に切り換えられる。
【０００３】
さて、このチャンネル設定を行うための方法として、「地域コード設定」と「スキャン検知」の２つの操作方法の両方、或いはいずれか一方が用意されていることが多い。
【０００４】
その１つ目の「地域コード設定」とは、地域ごとに数桁のコードが割り振られており、ユーザーは自己の居住する地域に該当するコードを入力する方法である。受像機／録画機器では、地域コードごとに受信可能なチャンネルをテーブルデータとして予め記憶しており、指示された地域コードよりこれを読み出し、受信可能なチャンネルとして記憶する。
【０００５】
もう１つの「スキャン検知」とは、受信チャンネルを１つずつ切り換えて行き、受信できたチャンネルのみをピックアップし、受信可能なチャンネルとして記憶する。
【０００６】
ところで、近年、高層建築物の増加等のため、各家庭にて設置した受信アンテナでは良好な受信を期待できないケースが増えてきた。また、山間部等では電界強度が弱いだけで無くマルチパスが多い等の受信障害が見られる。
【０００７】
この様な受信障害対策として、ＣＡＴＶ（ケーブルテレビ）と呼ばれる有線放送がある。また、受信障害対策としてでは無く、有料コンテンツを配信するためのＣＡＴＶも普及してきた。ＣＡＴＶでは一般放送波を再送出しているが、その送出チャンネルが配信先での受信チャンネルとは必ずしも一致するとは限らない。多くの場合、ＣＡＴＶ放送局の所在地における受信チャンネルにて再送出されている。
【０００８】
ここで、ＣＡＴＶを受信している場所がＣＡＴＶ放送局から離れている場合の「地域コード設定」は、ＣＡＴＶ受信場所では無く、ＣＡＴＶ放送局所在地の地域コードを設定しなければ、チャンネル設定は上手く機能しない。
【０００９】
これを踏まえ、「地域コード設定」がなされた際に記憶すべきチャンネルを試しに選局し、地域コード通りで良いか否かを判定し、一致しない場合には警告を発する技術が提案されている（例えば、特許文献１参照）。
【００１０】
また、ユーザーが通常の放送を受信している場合でも、或いはＣＡＴＶを受信している場合でも、「スキャン検知」を有効に機能させるための技術が提案されている。これは、ＶＨＦ帯域、ＣＡＴＶ帯域、ＵＨＦ帯域に分けて「スキャン検知」を行い、受信できたチャンネルが存在した帯域で「スキャン検知」を取り止めるものである（特許文献２参照）。
【特許文献１】特開平１０−３３６５３２号公報
【特許文献２】特開２０００−３１８１８２号公報
【発明の開示】
【発明が解決しようとする課題】
【００１１】
しかしながら、上記特許文献１記載の技術の場合、地域コードの誤設定に対しては有効であるが、ＣＡＴＶ放送局所在地の地域コードが必要な場合には、ユーザーに対して警告を発したところでその原因をユーザーが認識しているとは限らない。そしてユーザーが認識しているとしても、ＣＡＴＶ放送局所在地の確認が強いられる等、ユーザーに対して充分な機能であるとは言えない。
【００１２】
また、ＣＡＴＶにおける有料コンテンツの配信に対し、全てのチャンネル受信を契約するとは限らず、契約していないチャンネルはスクランブル処理が施されている。上記特許文献２記載の技術の場合、この様な非契約チャンネルへの対応がなされていない。
【００１３】
非契約チャンネルの場合、そのチャンネルを受信することは可能であるがスクランブル解除はできない。「スキャン検知」を行った場合、スクランブルの有無に関係無く受信可能と判断し、これを記憶してしまうことになる。その結果、チャンネルＵＰ／ＤＯＷＮ操作に対しては視聴不能なチャンネルまでも選局してしまうこととなる。この様な状態を解除するにはユーザーは、不必要なチャンネルの記憶を１つずつ消去する等の煩わしい作業を強いられる。
【００１４】
本発明の目的は、最適な受信チャンネルの初期設定を自動的に行うことができる受信チャンネル設定装置及び方法、並びにプログラム及び記憶媒体を提供することにある。
【課題を解決するための手段】
【００１５】
上記目的を達成するために、請求項１記載の受信チャンネル設定装置は、受信するテレビ放送のチャンネルを設定する受信チャンネル設定装置において、予め地域ごとに定められた地域コードに対応する放送局コードを記憶する記憶手段と、使用者が地域コードを入力するための操作手段と、前記操作手段によって入力された地域コードに対応する放送局コードを前記記憶手段から読み出し、当該読み出した放送局コードのチャンネルを正常に受信できるか否かを判定する判定手段と、前記判定手段によって、読み出した放送局コードのチャンネルを正常に受信できると判定された場合に、当該放送局コードのチャンネルを受信チャンネルとして設定する設定手段とを備え、前記判定手段は、前記読み出した放送局コードのチャンネルを正常に受信できないと判定した場合に、他の地域コードに対応する放送局コードを前記記憶手段から読み出し、当該読み出した放送局コードのチャンネルを正常に受信できるか否かを再判定することを特徴とする。
【００１６】
請求項７記載の受信チャンネル設定装置は、受信するテレビ放送のチャンネルを設定する受信チャンネル設定装置において、受信した信号の各チャンネルのうちスクランブル処理が施されたチャンネルに対して、前記スクランブル処理の解除が許可されているか否かを判定する判定手段と、前記スクランブル処理の解除が許可されていると判定されたチャンネルを受信チャンネルとして設定し、前記スクランブル処理の解除が許可されていないと判定されたチャンネルは受信チャンネルとして設定しない設定手段とを備えることを特徴とする。
【００１７】
請求項９記載の受信チャンネル設定方法は、受信するテレビ放送のチャンネルを設定する受信チャンネル設定方法において、予め地域ごとに定められた地域コードに対応する放送局コードを記憶部に記憶する記憶ステップと、使用者によって入力された地域コードに対応する放送局コードを前記記憶部から読み出し、当該読み出した放送局コードのチャンネルを正常に受信できるか否かを判定する判定ステップと、前記判定ステップによって、読み出した放送局コードのチャンネルを正常に受信できると判定された場合に、当該放送局コードのチャンネルを受信チャンネルとして設定する設定ステップとを備え、前記判定ステップにおいて、前記読み出した放送局コードのチャンネルを正常に受信できないと判定した場合に、他の地域コードに対応する放送局コードを前記記憶部から読み出し、当該読み出した放送局コードのチャンネルを正常に受信できるか否かを再判定することを特徴とする。
【００１８】
請求項１０記載の受信チャンネル設定方法は、受信するテレビ放送のチャンネルを設定する受信チャンネル設定方法において、受信した信号の各チャンネルのうちスクランブル処理が施されたチャンネルに対して、前記スクランブル処理の解除が許可されているか否かを判定する判定ステップと、前記スクランブル処理の解除が許可されていると判定されたチャンネルを受信チャンネルとして設定し、前記スクランブル処理の解除が許可されていないと判定されたチャンネルは受信チャンネルとして設定しない設定ステップとを備えることを特徴とする。
【００１９】
請求項１１記載の受信チャンネル設定プログラムは、受信するテレビ放送のチャンネルを設定する受信チャンネル設定プログラムにおいて、予め地域ごとに定められた地域コードに対応する放送局コードを記憶する記憶モジュールと、使用者によって入力された地域コードに対応する放送局コードを前記記憶モジュールから読み出し、当該読み出した放送局コードのチャンネルを正常に受信できるか否かを判定する判定モジュールと、前記判定モジュールによって、読み出した放送局コードのチャンネルを正常に受信できると判定された場合に、当該放送局コードのチャンネルを受信チャンネルとして設定する設定モジュールとコンピュータに実行させ、前記判定モジュールにおいて、前記読み出した放送局コードのチャンネルを正常に受信できないと判定した場合に、他の地域コードに対応する放送局コードを前記記憶モジュールから読み出し、当該読み出した放送局コードのチャンネルを正常に受信できるか否かを再判定することを特徴とする。
【００２０】
請求項１２記載の受信チャンネルプログラムは、受信するテレビ放送のチャンネルを設定する受信チャンネル設定プログラムにおいて、受信した信号の各チャンネルのうちスクランブル処理が施されたチャンネルに対して、前記スクランブル処理の解除が許可されているか否かを判定する判定モジュールと、  前記スクランブル処理の解除が許可されていると判定されたチャンネルを受信チャンネルとして設定し、前記スクランブル処理の解除が許可されていないと判定されたチャンネルは受信チャンネルとして設定しない設定モジュールとをコンピュータに実行させることを特徴とする。
【００２１】
請求項１３記載のコンピュータ読み取り可能な記憶媒体は、請求項１１記載の受信チャンネル設定プログラムを格納する。
【００２２】
請求項１４記載のコンピュータ読み取り可能な記憶媒体は、請求項１２記載の受信チャンネル設定プログラムを格納する。
【発明の効果】
【００２３】
本発明の受信チャンネル設定装置によれば、入力された地域コードに対応する放送局コードのチャンネルを正常に受信できない場合は、他の地域コードに対応する放送局コードを読み出して再判定することにより、最適な受信チャンネルの初期設定を自動的に行うことができる。
【００２４】
また、本発明の他の受信チャンネル設定装置によれば、スクランブル処理の解除が許可されていないと判定されたチャンネルは受信チャンネルとして設定しないことにより、最適な受信チャンネルの初期設定を自動的に行うことができる。
【発明を実施するための最良の形態】
【００２５】
以下、本発明の実施の形態を図面を参照しながら詳細に説明する。
【００２６】
図１は、本発明の受信チャンネル設定装置としてのＴＶ放送受像機の要部回路ブロック図である。
【００２７】
図１において、ＴＶ放送受像機は、ＲＦ信号入力端子１０１、ＲＦ信号を受信し復調するチューナブロック１０２、スクランブル処理の施された受信画像信号のスクランブルを解除するデ・スクランブラ１０３、画像信号処理ブロック１０４を備える。
【００２８】
また、ＴＶ放送受像機は、操作表示用キャラクタ発生のＯＳＤブロック１０５、表示器１０６、システム全体を制御するＣＰＵ１１０、ＲＯＭ等の第１のメモリ１１１、ＥＥＰ−ＲＯＭ等の第２のメモリ１１２を備える。
【００２９】
ＲＦ信号入力端子１０１には、図１では不図示のアンテナで受信したＲＦ信号もしくはＣＡＴＶ放送局から配信されたＲＦ信号が入力される。このＲＦ信号はチューナブロック１０２にて復調された後、デ・スクランブラ１０３にてスクランブルが解除される。そして画像信号処理ブロック１０４にて種々の画像信号処理が施された後、表示器１０６に描画される。そしてＣＰＵ１１０はこれら各ブロックを制御する。
【００３０】
さて、このＴＶ放送受像機を設置する際に、ユーザーは様々な初期設定処理を行う。例えば、タイマー機能用の日付け／時計合わせや、画質調整設定等である。そしてその中には、受信できる放送チャンネルを記憶させるチャンネル設定もある。このチャンネル設定にて記憶させた受信可能チャンネルに関する情報は、以降のＵＰ／ＤＯＷＮ選局操作や、ＥＰＧ（電子番組表）の表示対象局の選択に利用される。
【００３１】
以降、このチャンネル設定について説明する。
【００３２】
図２は、市区町村単位或いは更に細分化されたエリアごとに地域コードが割り付けられた図である。
【００３３】
図２において、ＣＡＴＶ局は、地域コード“１２００”の地域にあるものとする。地域コードとしては、例えば、郵便番号や、電話番業の市外局番などを使用してもよい。
【００３４】
図３は、図２における地域コードとその地域コードで受信可能な放送局コード（受信可能チャンネルリスト）を示す図である。
【００３５】
ここで図３について簡単に説明する。例えば、“１２００”エリアで受信可能な放送チャンネルは、“０００１”、“０００５”、“０００７”、“０００９”の４局であり、それぞれＶＨＦの１ｃｈ．、５ｃｈ．、７ｃｈ．、９ｃｈ．を表している。
【００３６】
同様に、“１２１６”エリアで受信可能な放送チャンネルは、“０００１”、“０００５”、“１０２７”、“１０１８”の４局であり、それぞれＶＨＦの１ｃｈ．、５ｃｈ．、ＵＨＦの３９ｃｈ．、２４ｃｈ．を表している。いずれも“ＦＦＦＦ”は、これ以上の受信可能チャンネルが存在しないことを表す。
【００３７】
図４は、地域コードとアナログ放送用周辺地域コード（アナログ放送用周辺地域リスト）を示す図である。
【００３８】
図４において、地形の制約で地域ごとに異なるチャンネルで放送していることを前提としている。
【００３９】
また、デジタル放送の場合は、マルチパスの影響は軽微なので、広範囲の地域において同一のチャンネルで放送されることになる。よって周辺地域コードも、図５（デジタル放送用周辺地域リスト）に示す様に、３つあれば充分で、後述する図６のステップＳ６０９におけるカウント値チェックも、４になるまでとすればよい。
【００４０】
さて、ここで一例として、図２におけるエリア“１２１６”において、ユーザーがチャンネル設定を行う場合について説明する。
【００４１】
図１を参照して、不図示のリモコン送信機を用いてチャンネル設定モードに入る操作がなされると、ＣＰＵ１１０はその操作指示に従い、ＯＳＤ１０５を制御してユーザーに対する操作表示を表示器１０６上に描画させる。以降、ユーザーはこの表示器１０６上のＯＳＤを見ながら操作を行う。
【００４２】
（第１の実施の形態）
図６は、この第１の実施の形態において、図１のＴＶ放送受像機によって実行されるチャンネル設定処理の手順を示すフローチャートである。
【００４３】
本処理は、図１におけるＣＰＵ１１０によって実行される。
【００４４】
図６において、まず、ステップＳ６０１にて、地域コードの入力をユーザーに促し、これを待つ。ステップＳ６０２において、ＣＰＵ１１０内にあるカウンタを“０”にリセットする。
【００４５】
ステップＳ６０３において、第１のメモリ１１１から図３に示す様な放送局リストを参照し、入力された地域コードに対応する放送局コード（受信可能チャンネルリスト）を読み出し、一時的に記憶する。ステップＳ６０４では、この放送局コードから所定の数だけ、例えば、３局を選局すべくチューナ１０２を制御して、正常に受信できたか（受信レベルが所定値以上あったか）否かを判断する。
【００４６】
ここで３局とも正常に選局できれば、更にステップＳ６０５において、入力された地域コードに対応する放送局コードには無いチャンネルを選局処理して正常に受信できないことを確認した上でステップＳ６０６に進む。ただし、ステップＳ６０４において全ての局について正常に受信できたか否かを判断するようにしてもよい。また、ステップＳ６０５の処理を省略してもよい。
【００４７】
ステップＳ６０６では、先に一時記憶した放送局コードを第２のメモリ１１２にコピーし、ステップＳ６０７において、表示器１０６に設定が終了した旨をＯＳＤ表示させてチャンネル設定モードを終了する。
【００４８】
ステップＳ６０４で、地域コードのチャンネルの所定数（例えば３局）を正常に受信できないと判断した場合、ステップＳ６０８に進む。ただし、地域コードのチャンネル全てを正常に受信できない場合にステップＳ６０８に進むようにしてもよい。ステップＳ６０８では、先のステップＳ６０２にてリセットしたカウンタをインクリメントし（カウント値を１つ加算し）、ステップＳ６０９にてカウント値をチェックする。
【００４９】
ここで、カウント値が所定の値になるまでは、ステップＳ６１０にて近隣地域コードに置換してステップＳ６０４に戻るが、所定の値を超えると、テップＳ６１１に進む。ステップＳ６１１では、チャンネル設定が不能であった旨を、ＯＳＤ表示させてユーザーに知らせ、チャンネル設定モードを終了する。
【００５０】
次に、図３における地域コード１２１６が入力された場合について、具体的に説明する。
【００５１】
ユーザーは取扱い説明書を参考にして、自己の居住地域である“１２１６”を１０キー操作で入力する。すると、ステップＳ６０１からステップＳ６０２に進んでカウンタがリセットされる。そして、ステップＳ６０３において、第１のメモリ１１１から図３に示す放送局リストを参照し、地域コード“１２１６”に該当する放送局コードを読み出し、一時的に記憶する。
【００５２】
ステップＳ６０４では、この放送局コードから所定の数だけ、例えば、３局を選局すべくチューナ１０２を制御して、正常に受信できたか否かを判断する。ここで３局とも正常に選局できれば、更にステップＳ６０５にて、入力された地域コードに対応する放送局コードには無いチャンネルを選局処理して正常に受信できないことを確認した上でステップＳ６０６に進む。ただし、ステップＳ６０４において全ての局（４局）について正常に受信できたか否かを判断するようにしてもよい。
【００５３】
この例では、ＣＡＴＶにて供給されているＲＦ信号のチャンネルは、入力された地域コード“１２１６”とは異なり、地域コード“１２００”のものである。よってステップＳ６０４では、地域コード“１２１６”のチャンネルを正常に受信できないと判断し、ステップＳ６０８に進んでカウンタをインクリメントする。ステップＳ６０９にてカウント値をチェックする。ここでカウント値が所定の値（この例では６）になるまでは、ステップＳ６１０にて近隣地域コードに置換してステップＳ６０４に戻る。所定の値を超えると、つまりステップＳ６０４乃至２０５でのチェックを６回繰り返すと、ステップＳ６１１に進む。
【００５４】
ステップＳ６１０での近隣地域コードへの置換について述べる。第１のメモリ１１１には、図４に示す様な周辺地域リストも記憶されている。この例では、５通りの周辺地域を記憶してある。ステップＳ６１０では、その時のカウント値を参照し、カウント値が“１”ならば、「周辺地域コード１」を、“２”ならば「周辺地域コード２」をと言う様に、「周辺地域コード５」までの繰り返しを想定している。図４に示した例の場合であれば、先ず隣接するエリアの地域コード“２５２３”にて挑戦し、最終的にはそのエリアに近い都市部の地域コード“１２００”を試すことになる。
【００５５】
ここで、ユーザーは“１２１６”エリアでの放送波の受信では無く、“１２００”エリアのＣＡＴＶ局からからＲＦ信号の配信を受けていたとする。この場合、ＴＶ受像機に入力されているＲＦ信号のチャンネル構成は“１２１６”エリアでの放送チャンネルでは無く、“１２００”エリアでの放送チャンネルに準じている。
【００５６】
よって、ＣＰＵ１１０がＣＡＴＶ局のある地域コード“１２００”を選んだことにより、実際に入力されているＲＦ信号に適したチャンネル設定がなされることになる。
【００５７】
また、このユーザーがＣＡＴＶでは無く、通常のＴＶアンテナにより隣接する他県（“２５２３”エリア方面）の放送を受信していたとする。この場合には、隣接する他県に含まれる地域のコード“２５２３”をＣＰＵ１１０が選択することにより、受信しているＲＦ信号に適したチャンネル設定がなされることになる。
【００５８】
以上のように、この本実施の形態によれば、ユーザーにより入力された地域コードに対応したチャンネルがＣＡＴＶでの再送出チャンネルと一致していない場合や、他の地域からの放送波を受信している場合であっても、不都合を生じない。即ち、ユーザにより入力された地域コードが適切でない場合は、ＣＡＴＶ放送局の所在地の地域コードや、受信している放送波の送信源の地域コードに自動的に変更することにより、ユーザーのチャンネル設定処理をサポートすることができる。
【００５９】
（第２の実施の形態）
本実施の形態は、図６のフローチャートのステップＳ６１０における近隣地域コードへの置換方法が第１の実施の形態と異なる。
【００６０】
ここで先に図２に示した地域コードの割り振り方について説明する。地域コードの上位の桁は地方ごとに同一の番号とし、その地方の拠点となる都市部の地域コードは下２桁を“００”とする、そしてこれらの都市に順ずる規模の中核都市の地域コードは下１桁を“０”とする。そしてこれら都市の周囲の市区町村並びに地域は、下桁のみを“０”以外の値として割り付ける。
【００６１】
例えば、本実施の形態に用いた拠点都市の地域コードは“１２００”を、そしてその周囲のエリアには“１２０Ｘ”（Ｘは“０”以外の数）を割り付ける。また、拠点都市の周囲に存在する中核都市の地域コードは“１２Ｘ０”とし、更にその周囲の地域の地域コードは“１２ＸＸ”とする。本実施の形態に用いた“１２１６”エリアがまさにこれで、中核都市“１２１０”の下１桁を“６”に換えたものである。
【００６２】
アナログ放送受信の場合、地域コードの割り付けをこの様にした上で、図６のステップＳ６１０における近隣地域コードへの置換は、図４の様な周辺地域リストを用いるのでは無く、図７に示す様な処理で行う。
【００６３】
図７は、この第２の実施の形態において、アナログ放送受信の場合に、図６のステップＳ６１０によって実行される近隣地域コードへの置換処理の手順を示すフローチャートである。
【００６４】
図７において、まず、ステップＳ７０１で、ユーザーが入力した地域コードより１つ小さな値に置換し、ステップＳ７０２で再度受信チェックを行う。
【００６５】
これも正しく受信できなかった場合、ステップＳ７０３において、ユーザーが入力した地域コードよりも１つ大きな値に置換し、ステップＳ７０４で再度受信チェックを行う。そしてこれも正しく受信できなかった場合、今度は、ステップＳ７０５において、ユーザーが入力した地域コードの下１桁を“０”に置換し、ステップＳ７０６で再度受信チェックを行う。更にこれでも正しく受信できなかった場合、ステップＳ７０７において、地域コードの下２桁を“００”に置換して、本処理を終了する。
【００６６】
尚、ここでは、入力された地域コードよりも１つ小さな値と、１つ大きな値に変更してチェックする場合を示したが、これに限定されるものではない。例えば、入力された地域コードよりも２つ小さな値（または２つ大きな値）まで変更してチェックしてもよいし、それ以上異なる値までチェックするようにしてもよい。
【００６７】
以下、ユーザーが地域コードを“１２１６”に設定した場合について、具体的に説明する。
【００６８】
まず、ステップＳ７０１において、地域コード１２１６より１つ小さな値“１２１５”に置換して再度受信チェックを行う。これも正しく受信できなかった場合（ステップＳ７０２）、ユーザーが入力した地域コードよりも１つ大きな値“１２１７”に置換して試みる（ステップＳ７０３）。
【００６９】
そしてこれも正しく受信できなかった場合（ステップＳ７０４）、今度はユーザーが入力した地域コードの下１桁を“０”に置換した“１２１０”にてチェックする（ステップＳ７０５）。更にこれでも正しく受信できなかった場合（ステップＳ７０６）、地域コードの下２桁を“００”に置換した“１２００”に設定する（ステップＳ７０７）。
【００７０】
図８は、この第２の実施の形態において、デジタル放送受信の場合に、図６のステップＳ６１０によって実行される近隣地域コードへの置換処理の手順を示すフローチャートである。
【００７１】
図８において、まず、ステップＳ８０１で、ユーザーが入力した地域コードの下１桁を“０”に置換し、ステップＳ８０２で再度受信チェックを行う。更にこれでも正しく受信できなかった場合、ステップＳ８０３において、地域コードの下２桁を“００”に置換して、本処理を終了する。
【００７２】
デジタル放送の場合、上述した様に、広範囲の地域にわたって同一チャンネルの放送が実施されるので、図８に示す様に、１つ違いの地域コードによる再受信チェックは割愛しても良い。また更には、いきなり地域コードの下２桁を“００”に置換してチェックする方法も考えられる。
【００７３】
以上のように、本実施の形態によれば、第１の実施の形態と同様に、ユーザーにより入力された地域コードに対応したチャンネルがＣＡＴＶでの再送出チャンネルと一致していない場合や、他の地域からの放送波を受信している場合であっても不都合は生じない。即ち、ユーザにより入力された地域コードが適切でない場合は、ＣＡＴＶ放送局の所在地の地域コードや、受信している放送波の送信源の地域コードに自動的に変更することにより、ユーザーのチャンネル設定処理をサポートすることができる。
【００７４】
（第３の実施の形態）
本実施の形態では、チャンネル設定を地域コードにて設定するのでは無く、逐一各チャンネルが受信可能か否かをチェックし、正しく受信できたチャンネルを記憶する。
【００７５】
図９は、この第３の実施の形態において、図１のＴＶ放送受像機によって実行されるチャンネル設定処理の手順を示すフローチャートである。
【００７６】
本処理は、図１におけるＣＰＵ１１０によって実行される。
【００７７】
図９において、まず、ステップＳ９０１にて、チャンネル番号“ｎ”に“１”をセットする。そしてステップＳ９０２において、チャンネル“ｎ”を受信すべくチューナ１０２を制御し、ステップＳ９０３において、正しく受信できたか（受信レベルが所定値以上あったか）チェックする。
【００７８】
更には、ステップＳ９０４にてスクランブル処理（特定の視聴者だけが視聴できるようにデータをかき混ぜる暗号化処理）がなされているかをチェックする。そして、スクランブル処理がなされていれば、ステップＳ９０５でそれをデ・スクランブラ１０３にて解除できるか（解除が許可されているか否か）をチェックする。正しく受信でき、しかもスクランブルを解除できた場合のみ、ステップＳ９０６において、チャンネル番号“ｎ”を第２のメモリ１１２に書き込む。
【００７９】
チャンネル“ｎ”の受信チェックを終えると、ステップＳ９０７において、“ｎ”をインクリメントし（ｎの値に１を加算し）、次のチャンネルの受信チェックに備え、ステップＳ９０８に進む。ステップＳ９０８では、チャンネル番号が“ｎ”が所定の値“ｍ”に達したか否かをチェックする。
【００８０】
この“ｍ”の値は、放送チャンネルとして存在するチャンネル番号の最大値よりも１大きい値である。ここで“ｎ”が“ｍ”に達していない場合は、ステップＳ９０２に戻り、ステップＳ９０２乃至Ｓ９０７の一連のチェックを繰り返す。
【００８１】
一方、“ｎ”が“ｍ”に一致するのは、全ての放送チャンネルの受信チェックを終えた場合であり、その場合はステップＳ９０９において、チャンネル設定処理が終了した旨を、ＯＳＤ発生器１０５を介して表示器１０６からユーザーに知らせて、本処理を終える。
【００８２】
ここで、ステップＳ９０４、Ｓ９０５におけるスクランブル処理のチェックについて簡単に説明する。
【００８３】
アナログ放送の場合は、如何なるスクランブル処理がなされていたとしても、それを検知する必要がある。例えば、同期信号の確認とともに、隣接画素間並びにライン間フレーム間の相関をチェックし、差分を求める。そして３方向（横、縦、時間）いずれもが所定の値以上の差分を有する場合、何等かのスクランブルが施されていると判断する。
【００８４】
但し、中間映像周波数の振幅レベルを確認することにより放送受信の可否を判断してもよい。また、映像同期信号の周期性とクロマ信号周波数安定度の内、少なくとも一方を確認することにより放送受信の可否を判断してもよい。
【００８５】
またデジタル放送の場合であれば、放送波のメタデータ（番組特定情報ＰＳＩ）からスクランブルに関する情報を得てこれを判断する。例えば、限定受信テーブルＣＡＴ（Ｃｏｎｄｉｔｉｏｎａｌ  Ａｃｃｅｓｓ  Ｔａｂｌｅ）を取得して加入者の契約関連情報ＥＭＭ（Ｅｎｔｉｔｌｅｍｅｎｔ  Ｍａｎａｇｅｍｅｎｔ  Ｍｅｓｓａｇｅ）を参照して視聴の可否を判断してもよい。また、エラー補正回路における受信データのエラー補正が可能か否かによりデジタル放送受信の可否を判断してもよい。
【００８６】
以上のように、本実施の形態によれば、「スキャン検知」においても視聴可能なチャンネルのみを記憶することが可能となり、ユーザーのチャンネル設定処理をサポートすることができる。
【００８７】
なお、第１の実施の形態と第３の実施の形態とを組み合わせてもよいし、第２の実施の形態と第３の実施の形態とを組み合わせてもよい。すなわち、地域コードを設定した後に、スクランブル処理の解除が許可されていないチャンネルを検知し、そのチャンネルを設定チャンネルから除外するようにしてもよい。
【００８８】
また、第１の実施の形態から第３の実施の形態に示した本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００８９】
この場合、記憶媒体から読み出されたプログラムコード自体が前述した実施の形態の機能を実現することになり、そのプログラムコード及び該プログラムコードを記憶した記憶媒体は本発明を構成することになる。
【００９０】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００９１】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００９２】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００９３】
【図１】本発明の受信チャンネル設定装置としてのＴＶ放送受像機の要部回路ブロック図である。
【図２】市区町村単位或いは更に細分化されたエリアごとに地域コードが割り付けられた図である。
【図３】図２における地域コードとその地域コードで受信可能な放送局コードを示す図である。
【図４】地域コードとアナログ放送用周辺地域コードを示す図である。
【図５】地域コードとデジタル放送用周辺地域コードを示す図である。
【図６】第１の実施の形態において、図１のＴＶ放送受像機によって実行されるチャンネル設定処理の手順を示すフローチャートである。
【図７】第２の実施の形態において、アナログ放送受信の場合に、図６のステップＳ６１０によって実行される近隣地域コードへの置換処理の手順を示すフローチャートである。
【図８】第２の実施の形態において、デジタル放送受信の場合に、図６のステップＳ６１０によって実行される近隣地域コードへの置換処理の手順を示すフローチャートである。
【図９】第３の実施の形態において、図１のＴＶ放送受像機によって実行されるチャンネル設定処理の手順を示すフローチャートである。
【符号の説明】
【００９４】
１０２  チューナ
１０５  ＯＳＤ
１１０  ＣＰＵ
１１１  第１のメモリ
１１２  第２のメモリ
【図１】
2008135837.tif 000003
【図２】
2008135837.tif 000004
【図３】
2008135837.tif 000005
【図４】
2008135837.tif 000006
【図５】
2008135837.tif 000007
【図６】
2008135837.tif 000008
【図７】
2008135837.tif 000009
【図８】
2008135837.tif 000010
【図９】
2008135837.tif 000011